(57)【要約】    【課題】秘密鍵の漏洩を防止することのできる秘話通信方法および通信端末装置を提供すること。    【解決手段】秘話通信を行う前に、予め秘話通信を行いたい通信端末装置からインパルス応答信号を受信し、このインパルス応答信号に基づいて秘密鍵を作成する。このインパルス応答信号は、通信端末装置間の信号伝送経路固有の伝搬特性応じているので、特有の性質を有している。また、伝搬路特性の対称性から、相手の通信端末装置でも同一のインパルス応答信号が受信される。    【効果】このインパルス信号に応じた秘密鍵を作成することにより、送信側の通信端末装置と受信側の通信端末装置において、同一の秘密鍵が作成される。これによって、秘密鍵の送受信を行う必要がなくなるので、秘密鍵の漏洩を防止することができる。    【選択図】            図４
2005130127.tif 000002
【特許請求の範囲】
【請求項１】
第１通信端末装置と第２通信端末装置との間で行われる秘話通信の方法であって、
前記第１通信端末装置および前記第２通信端末装置は、当該第１通信端末装置と当該第２通信端末装置との間に存在する信号伝送経路固有の伝搬特性に応じた秘密鍵をそれぞれ作成し、その作成した秘密鍵に基づいて秘話通信を行うことを特徴とする秘話通信方法。
【請求項２】
前記第１通信端末装置および前記第２通信端末装置は、それぞれ作成した秘密鍵が同一か否かを確認し、秘密鍵が同一であることを確認したときに、秘話通信を行うことを特徴とする請求項１記載の秘話通信方法。
【請求項３】
前記第２通信端末装置は、前記第１通信端末装置から当該第２通信端末装置に複数回にわたって送信する通信開始要求信号を受信し、それぞれの通信開始要求信号の伝送経路固有の伝搬特性から作成したコードを組み合わせて秘密鍵を作成し、
前記第１通信端末装置は、前記第２通信端末装置が通信開始要求信号を受信したことに応答して当該第１通信端末装置に返信する応答信号を受信し、それぞれの応答信号の伝送経路固有の伝搬特性から作成したコードを組み合わせて秘密鍵を作成して、秘話通信を行うことを特徴とする請求項１または請求項２記載の秘話通信方法。
【請求項４】
前記第１通信端末装置と前記第２通信端末装置との間で行われる通信の伝送媒体は、同一周波数の無線であることを特徴とする請求項１から請求項３の何れかに記載の秘話通信方法。
【請求項５】
前記第１通信端末装置と前記第２通信端末装置との間で行われる通信の伝送媒体は、有線であり、当該第１通信端末装置と当該第２通信端末装置との間には、複数の線路と、これらの線路の切り替えを行うための切替手段とが備えられており、
この切替手段は、定期的または不定期的に前記線路を切り替えながら、前記第１通信端末装置と前記第２通信端末装置とを接続することを特徴とする請求項１から請求項３の何れかに記載の秘話通信方法。
【請求項６】
他の通信端末装置と秘話通信を行う通信端末装置であって、
当該通信端末装置は、秘話通信を行う相手の通信端末装置と当該通信端末装置との間に存在する信号伝送経路固有の伝搬特性に応じた秘密鍵を作成する秘密鍵作成手段と、
前記秘密鍵作成手段によって作成された秘密鍵に基づいて、前記相手の通信端末装置と秘話通信を行うことを特徴とする通信端末装置。
【発明の詳細な説明】
【技術分野】
【０００１】
本発明は、通信端末装置間で行われる秘話通信の方法、およびこの秘話通信方法を用いて秘話通信を行う通信端末装置に関するものである。
【背景技術】
【０００２】
通信端末装置間で行われる通信の内容が第三者によって傍受されることを防ぐために、通信端末装置間では秘話通信が行われている。秘話通信では、送信側の通信端末装置が通信内容を暗号化して、この暗号化されたものを送信し、受信側の通信端末装置は、これを復号化することにより通信内容を把握している。
従来から行われている秘話通信には、秘話通信を行う通信端末装置だけが知っている共通の秘密鍵を用いて秘話通信を行う秘密鍵暗号方式と、秘密鍵と公開鍵を用いて秘話通信を行う公開鍵暗号方式とがある。
【０００３】
公開鍵暗号方式では、巨大な整数の因数分解などによって、通信内容を暗号化しているので、暗号化や復号化に時間を要していた。
一方、秘密鍵暗号方式では、暗号化／復号化を短時間で行うことができる（特許文献１参照）。
【特許文献１】特開２００２−２３７８１２号公報
【発明の開示】
【発明が解決しようとする課題】
【０００４】
しかしながら、秘密鍵暗号方式では、送信側の通信端末装置で作成された秘密鍵を受信側の通信端末装置に送信しなくてはならない。このとき、秘密鍵が第三者の手に渡ってしまうと、秘話通信の内容が簡単に傍受されてしまうという問題があった。
そこで、本発明は、秘話通信に用いられる秘密鍵の漏洩を防止する秘話通信方法および通信端末装置を提供することを目的とする。
【０００５】
また、本発明は、安全で確実に秘話通信を行うことのできる秘話通信方法および通信端末装置を提供することを目的とする。
【課題を解決するための手段】
【０００６】
上記目的を達成するための本発明は、第１通信端末装置と第２通信端末装置との間で行われる秘話通信の方法であって、前記第１通信端末装置および前記第２通信端末装置は、当該第１通信端末装置と当該第２通信端末装置との間に存在する信号伝送経路固有の伝搬特性に応じた秘密鍵をそれぞれ作成し、その作成した秘密鍵に基づいて秘話通信を行うことを特徴とする秘話通信方法である。
【０００７】
この発明によると、第１通信端末装置および第２通信端末装置は、第１通信端末装置と第２通信端末装置との間に存在する信号伝送経路固有の伝搬特性に応じた秘密鍵を作成する。この伝搬特性は、第１通信端末装置と第２通信端末装置とが通信を行ったときに、第１通信端末装置および第２通信端末装置だけが知ることのできる伝搬特性であって、他の端末装置はこの伝搬特性を知ることができない。
【０００８】
したがって、第１通信端末装置と第２通信端末装置とでは、同一の秘密鍵が作成されるので、秘密鍵の送受信を行う必要がなくなり、秘密鍵の漏洩を防止することができる。また、他の端末装置は、この伝搬特性に応じた秘密鍵を作成することができないので、安全で確実な秘話通信を行うことができる。
前記第１通信端末装置および前記第２通信端末装置は、それぞれ作成した秘密鍵が同一か否かを確認し、秘密鍵が同一であることを確認したときに、秘話通信を行う構成であってもよい（請求項２）。この構成によって、送信側の通信端末装置において暗号化された情報は、受信側の通信端末装置で確実に復号化されるので、通信の信頼性を向上させることができる。
【０００９】
このように、信号伝送経路固有の伝搬特性を利用して秘密鍵を作成する場合、第１通信端末装置で観測された伝搬特性と、第２通信端末装置で観測された伝搬特性とが同じであることが要求される。伝搬特性に時間的な変動が伴う場合、秘密鍵を更新することによって、容易に第三者が秘密鍵を取得できないようにするためには有効となるが、第１通信端末装置が観測する信号伝送経路固有の伝搬特性と、第２通信端末装置が観測する信号伝送経路固有の伝搬特性とが異なると、秘密鍵の共有の妨げとなる。
【００１０】
このため、第２通信端末装置は、第１通信端末装置から第２通信端末装置に複数回にわたって送信される短い通信開始要求信号を受信し、それぞれの通信開始要求信号の伝送経路固有の伝搬特性から作成したコードを組み合わせて秘密鍵を作成するとともに、通信開始要求信号の受信毎に第１通信端末装置に応答信号を返信し、第１通信端末装置は第２通信端末装置から第１通信端末装置に複数回にわたって送信される短い応答信号を受信して、それぞれの応答信号の伝送経路固有の伝搬特性から作成したコードを組み合わせて秘密鍵を作成する（請求項３）。このように短い通信開始要求信号と応答信号から秘密鍵を作成することにより、これらの信号の伝送中における伝送経路の伝搬特性の変化を小さく抑制することができ、確実に第１通信端末装置と第２通信端末装置とで同一の秘密鍵を作成することができる。
【００１１】
なお、前記第１通信端末装置および前記第２通信端末装置は、相手の通信端末装置から与えられるインパルス信号の応答に基づいて秘密鍵を作成する構成であってもよいし、等化器のフィルタタップ係数に基づいて秘密鍵を作成する構成であってもよい。
また、前記第１通信端末装置および前記第２通信端末装置がスペクトラム拡散通信方式で通信を行う場合、マッチトフィルタ出力に基づいて秘密鍵を作成する構成であってもよい。
【００１２】
その他、第１通信端末装置および第２通信端末装置がＯＦＤＭ通信方式で通信を行う場合、サブキャリア毎の受信レベルに基づいて秘密鍵を作成する構成であってもよいし、サブキャリア毎の位相回転量に基づいて秘密鍵を作成する構成であってもよい。
前記第１通信端末装置と前記第２通信端末装置との間で行われる通信の伝送媒体が、とくに無線の場合は、フェージングと呼ばれる現象によって伝送路特性が時間とともに変化することがあり、定期的または不定期的に先に示した方法で秘密鍵の更新を行うことによって秘密鍵の漏洩する可能性を低減することができる（請求項４）。
【００１３】
一方、有線であるときには、第１通信端末装置と第２通信端末装置との間に複数の線路と、これらの線路の切り替えを行うための切替手段とを設け、定期的または不定期的に線路の切り替えを行いながら、第１通信端末装置と第２通信端末装置とを接続する構成が好ましい（請求項５）。
第１通信端末装置と第２通信端末装置とが、１本の線路によって有線通信を行うとき、第１通信端末装置と第２通信端末装置との間の伝搬特性は常に同じで、変化がない。このため、他の通信端末装置は、この伝搬特性に基づいた秘密鍵を作成しやすいので、秘密鍵が漏洩する虞が生じてくる。そこで、第１通信端末装置と第２通信端末装置との間の接続状況を定期的又は不定期的に変化させることで、第１通信端末装置と第２通信端末装置との間の伝搬特性に変化を持たせ、秘密鍵が漏洩する可能性を低減することができる。
【００１４】
請求項６記載の発明は、他の通信端末装置と秘話通信を行う通信端末装置であって、当該通信端末装置は、秘話通信を行う相手の通信端末装置と当該通信端末装置との間に存在する信号伝送経路固有の伝搬特性に応じた秘密鍵を作成する秘密鍵作成手段と、前記秘密鍵作成手段によって作成された秘密鍵に基づいて、前記相手の通信端末装置と秘話通信を行うことを特徴とする通信端末装置である。この通信端装置を用いて秘話通信を行うことにより、請求項１に記載と同様の効果を達成することができる。
【発明を実施するための最良の形態】
【００１５】
−全体構成−
以下では、この発明の実施の形態を、添付図面を参照して詳細に説明する。
図１は、本発明に係る秘話通信方法が適用されるシステムの構成を示すブロック図に伝搬特性の一例を付したものである。図２は、図１と同じ構成のブロック図に他の伝搬特性の例を付したものであり、図３は、図１と同じ構成のブロック図にさらに他の伝搬特性の例を付したものである。
【００１６】
オフィスや家庭などに配置されている複数の通信端末装置１０ａと１０ｅ間で無線通信を行う通信システムについて本発明の適用を考える。以下、通信端末装置１０ａ、１０ｅをまとめて「通信端末装置１０」という。
このシステムにおいて、通信端末装置１０ａから通信端末装置１０ｅに送信されるインパルス信号は、その送信の瞬間の伝搬路特性に応じて各経路毎に分割されて伝搬される。このとき、通信端末装置１０ｅにおける受信インパルス応答信号強度は、図１（ｂ）のようになる。更に、十分短い時間をおいて通信端末装置１０ｅから通信端末装置１０ａに同一無線周波数で送信されるインパルス信号も、各経路毎に分割されて伝搬される。このとき、通信端末装置１０ａに受信インパルス応答信号強度は、図２（ｂ）のようになる。
【００１７】
一般的な電波伝送媒体、反射材料に対して電波は対称的に伝搬する。すなわち、あるＡ点から発せられた電波がＢ点に到達することができる場合には、Ｂ点から発せられた電波は逆の経路を辿ってＡ点に達することができる（以下、この特性のことを「伝搬路特性の対称性」という）。たとえば、通信端末装置１０ａから発せられた建造物１０ｈで反射して通信端末装置１０ｅに電波が到達した場合、逆に通信端末装置１０ｅから発せられた電波は建造物１０ｈで反射して通信端末装置１０ａに到達することができる。これにより、電波の到達経路毎の伝搬時間、伝搬強度を示す図１（ｂ）の波形と、図２（ｂ）の波形とは同一となる。
【００１８】
一方、通信端末装置１０ａから第三者の通信端末装置１０ｃに到達するインパルス応答信号は、通信端末装置１０ｃにおいて図３（ｃ）のようになる。図１（ｂ）の波形と図３（ｂ）の波形とは異なっている。つまり、図１（ｂ）の波形は、通信端末装置１０ａと通信端末装置１０ｅとの間に存在する信号伝送経路固有の伝搬特性に基づくものであるので、他の通信端末装置との間に存在する信号伝送経路固有の伝搬特性に基づいた波形と異なり、特有の性質を有している。
【００１９】
以上のように、各通信端末装置間で行われる通信において、伝搬方向に関係なく、送信側と受信側で同じ伝搬特性が現れる。この伝搬特性は、送受信間に存在する信号伝送経路固有の伝搬特性に基づくものであるから、他の通信端末装置との間の信号伝送経路に基づいた伝搬特性とは異なり、特有の性質を有している。
通信端末装置は、秘話通信を行いたい相手と通信を行うことによって、この伝搬特性を知ることができ、それ以外の通信端末装置は、この伝搬特性を知ることができない。本発明では、その後、通信を行ったそれぞれの通信端末装置において、この伝搬特性に応じた秘密鍵が作成される。このとき、伝搬路特性の対称性から送信側と受信側とで同じ秘密鍵が作成される。以下では、秘密鍵の作成方法について具体的に説明する。
【００２０】
−作成方法１−
図４は、インパルス信号の強度に基づいて秘密鍵を作成する態様を説明するための波形図である。
秘話通信を行いたい各通信端末装置は、予め決められたインパルス信号を相手の通信端末装置に送信する。相手の通信端末装置は、送信通信端末装置毎に固有の伝搬経路を経て到達した結果として、図４（ａ）に示すようなインパルス応答信号を受信する。また、伝搬路特性の対称性から、相手の通信端末装置が送信したインパルス信号は元の通信端末装置で受信され、図４（ａ）と同じインパルス応答信号を与える。それ以外の通信端末装置は、このインパルス応答信号を知ることができない。
【００２１】
インパルス信号を受信したそれぞれの通信端末装置において、インパルス信号が所定の時間スロット毎に分割されて、各スロットにおいて、閾値以上の強度であるか否かが判別される。そして、各スロットにおいて、閾値以上であれば１とし、閾値未満であれば０とすることによって、秘密鍵が生成される（図４（ｂ）参照）。
−作成方法２−
図５は、通信端末装置の構成の一例を示すブロック図である。
【００２２】
この例では、通信端末装置間においてＱＰＳＫ（Quadrature Phase Shift Keying）変調方式による通信が行われる。このため、通信端末装置の送信部には、ＱＰＳＫ変調部３１、局部発振器３２、周波数変換部３３、電力増幅部３４および送信アンテナ３５が備えられている。また、通信端末装置の受信部には、受信アンテナ３６、低雑音増幅部３７、局部発振器３８、周波数変換部３９、等化器３１０および等化アルゴリズム３１１が備えられている。
【００２３】
秘話通信を行いたい各通信端末装置において、予め決められた情報が、ＱＰＳＫ変調部３１、局部発振器３２および周波数変換部３３によりＱＰＳＫ変調されて、電力増幅部３４により所定の電力ｐ０等に増幅されて、送信アンテナ３５から送信される。一方、相手の通信端末装置では、受信アンテナ３６によって受信され、低雑音増幅部３７、局部発振器３８および周波数変換部３９により復調されて、等化器３１０および等化アルゴリズム３１１によってｚ変換される。
【００２４】
図６は、等化器係数の一例を示すブロック図である。
等化器３１０の出力を等化器係数ｏｕｔで表すと、
ｏｕｔ＝ａ0＋ａ1ｚ-1＋ａ2ｚ-2＋ａ3ｚ-3＋ａ4ｚ-4                         （１）
となる。
図７Ａは、図６の等化器係数で作成されるフィルタタップ係数に基づいて秘密鍵を作成する態様を説明するための波形図である。
【００２５】
ｚ変換が行われると、０番目の枝のタップ係数ａ0が、正の方向を向いた大きさが１のベクトルとされ、タップ係数ａ0と他のタップ係数ａ1〜ａ4との関係から、タップ係数ａ1〜ａ4の大きさと方向が算出される。
この算出された大きさと方向に基づいて、タップ係数ａ1〜ａ4が等間隔に順に並べられる（図７Ａ参照）。その後、インパルス信号の時と同様に、各スロット毎に分割されて、各スロットにおいてタップ係数の位相によってコード化を行い、秘密鍵を作成する。コード化の方法の一例を図７Ｂに示す。ａ1〜ａ4タップ係数の位相がそれぞれａ0のタップ係数に対して、
０      〜π／２      →     （０，０）
π／２  〜π          →     （０，１）
π      〜３／２π    →     （１，１）
π３／２〜２π        →     （１，０）
に従って２ビットにコードされ、ａ1〜ａ4で８ビットを得る。
【００２６】
これと同様に、図７Ｃにはタップ係数の位相を３ビットのコードに変換する方法の例、図７Ｄにはタップ係数の位相および振幅を４ビットのコードに変換する方法の例、図７Ｅにはタップ係数の位相および振幅を３ビットのコードに変換する方法の例が示されている。このような方法を用いてコード化する構成であってもよい。また、図７Ｂ〜図７Ｅに記載された方法に限定する必要はなく、この他の様々な派生例を本発明に適用してもよい。この他、インパルス応答の時と同様にタップ係数の大きさが閾値以上であるか否かによって１か０かを決定し秘密鍵作成用のコードとしてもよい。
【００２７】
この手法によって作成される秘密鍵も、送受信間に存在する信号伝送経路固有の伝搬特性に基づいて作成されたものであるので、他の通信端末装置との間の信号伝送経路に基づいた伝搬特性とは異なり、特有の性質を有している。また、伝搬路特性の対称性から送信側と受信側とで同一の秘密鍵が作成される。
−作成方法３−
図８は、通信端末装置の他の構成例を示すブロック図である。
【００２８】
この例では、通信端末装置間においてスペクトラム拡散通信方式による通信が行われる。このため、通信端末装置の送信部には、情報変調部４１、ＰＮ（Pseudo Noise）発生器４２、拡散変調部４３、局部発振器４４、周波数変換部４５、電力増幅部４６および送信アンテナ４７が備えられている。また、通信端末装置の受信部には、受信アンテナ４８、低雑音増幅部４９、局部発振器４１０、周波数変換部４１１および（２次元）マッチトフィルタ４１２が備えられている。
【００２９】
秘話通信を行いたい各通信端末装置において、伝送される情報は、情報変調部４１に入力され、拡散変調部４３によってＰＮ発生器４２からのランダムに生成されたＰＮ信号で拡散変調を受け、局部発振器４４および周波数変換部４５により周波数変換されて直接スペクトラム拡散信号として生成される。そして、電力増幅部４６により複数の所定の電力に増幅されて、送信アンテナ４７から送信される。
【００３０】
送信アンテナ４７から送信された電波信号は複数の伝搬路を経由して、相手の通信端末装置の受信アンテナ４８に到達する。このとき、電波信号は伝搬経路によって異なる減衰および遅延を受け、例えば図９に示すようにそれぞれの遅延を受けてｐ０〜ｐ３の電力で受信アンテナ４８に到達し、これらの合成として受信される。
受信信号は、低雑音増幅部４９、局部発振器４１０および周波数変換部４１１により復調されて、マッチトフィルタ４１２に入力される。マッチトフィルタ４１２では、受信信号から機知のＰＮパターンに基づいて、伝搬経路毎にその振幅、位相と遅延時間の出力が可能であり、図１０のように伝搬特性を反映した信号を得ることができる。
【００３１】
ここでインパルス信号の時と同様に各時間スロット毎に分割し、図７Ａ〜Ｅのところで述べたのと同様のコード化を行うことにより、伝搬特性に基づく秘密鍵の作成を行うことができる。
また、インパルス信号の時と同様に各時間スロット毎に分割し、各スロットにおいてマッチトフィルタ出力の振幅の大きさが閾値以上であるか否かによって１か０かを決定し、秘密鍵生成に利用してもよい。
【００３２】
−作成方法４−
図１１は、通信端末装置のさらに他の構成例を示すブロック図である。
この例では、通信端末装置間においてＯＦＤＭ（Orthogonal Frequency Division Multiplexing）通信方式によって通信が行われる。このため、通信端末装置の送信部には、Ｓ／Ｐ変換部５１、ＩＦＦＴ（逆フーリエ変換部）５２、局部発振器５３、周波数変換部５４、電力増幅部５５および送信アンテナ５６が備えられている。また、通信端末装置の受信部には、受信アンテナ５７、低雑音増幅部５８、局部発振器５９、周波数変換部５１０およびＦＦＴ（フーリエ変換部）５１１が備えられている。
【００３３】
秘話通信を行いたい各通信端末装置において、予め決められた情報は、Ｓ／Ｐ変換部５１によってパラレル方式のデータに変換されて、ＩＦＦＴ５２によって逆フーリエ変換される。そして、局部発振器５３および周波数変換部５４によりＯＦＤＭ変調されて、電力増幅部５５により所定の電力ｐ０等に増幅されて、送信アンテナ５６から送信される。
一方、相手の通信端末装置では、受信アンテナ５７によって受信され、低雑音増幅部５８、局部発振器５９および周波数変換部５１０により復調されて、ＦＦＴ５１１によりフーリエ変換される。フーリエ変換が行われると、図１２に示すような波形が現れる。
【００３４】
図１２は、受信信号のサブキャリアごとの受信レベルに基づいて秘密鍵を作成する態様を説明するための図である。
この図では、周波数ａ０〜ａ４毎に受信レベルが異なっており、これらは伝送路の多重反射状況等によって変化する。そして、各周波数ａ１〜ａ４毎の受信レベルは、周波数ａ０の受信レベルより大きいか否かが判別される。そして、ａ０以上であれば１とし、ａ１以下であれば０とすることによって、秘密鍵が生成される。したがって、図１２の例では、（０，０，１，０）の秘密鍵が作成される。
【００３５】
この手法によって作成される秘密鍵も、送受信間に存在する信号伝送経路固有の伝搬特性に基づいて作成されたものであるので、他の通信端末装置との間の信号伝送経路に基づいた伝搬特性とは異なり、特有の性質を有している。また、伝搬路特性の対称性から送信側と受信側とで同一の秘密鍵を作成することができる。
−作成方法５−
図１３は、受信信号のサブキャリアごとの位相回転量に基づいて秘密鍵を作成する態様を説明するための図である。
【００３６】
図１３（ａ）に示すような全ての周波数チャンネルが１の既知信号をＯＦＤＭ通信方式により送信すると、受信側では図１３（ｂ）に示すように、各チャンネル毎に受信チャンネルの強度と向きが変化する。
これらのチャンネル毎の強度と位相を図７Ａ〜Ｅのところで述べたのと同様のコード化を行うことにより、伝搬特性に基づく秘密鍵の作成を行うことができる。
【００３７】
この手法によって作成される秘密鍵も、送受信間に存在する信号伝送経路固有の伝搬特性に基づいて作成されたものであるので、他の通信端末装置との間の信号伝送経路に基づいた伝搬特性とは異なり、特有の性質を有している。また、伝搬路特性の対称性から送信側と受信側とで同一の秘密鍵が作成される。
−暗号通信方式−
以上のように、秘話通信を行いたい通信端末装置間で秘密鍵の送受信を行うことなく、それぞれの通信端末装置には伝搬特性に応じた同一の秘密鍵が作成される。これによって、秘密鍵の漏洩を防止し、安全で確実な秘話通信を行うことができる。
【００３８】
このように本発明では、無線電波を用いた通信において伝送路が通信端末装置間によって異なること、および無線に特有のフェージング現象によって時間的にも変化することを利用して、第三者による秘密鍵の取得を困難にしているが、一方、伝送路が時間的に変化することにより通信当事者間で同一の秘密鍵を生成する場合にも問題を起こす可能性がある。
【００３９】
このため、秘密鍵を生成するために実施される通信当事者間の通信は同一周波数を用い、伝送路の伝搬特性がフェージングによって変化をしないとみなせる短い時間内で行われる必要がある。
ここで通信に用いられる無線周波数を2.4GHzとし、高速なフェージング発生の原因となる周辺の反射物移動体の速度の最大値を1000km/h（約280m/s）とすると、ドップラ周波数は約2.2kHzと計算され、したがって伝搬路特性は約40μs以内（ドップラ周波数の逆数の1/10）であれば十分安定していると考えられるので、秘密鍵を生成するために実施される通信当時者間の通信は、この時間内に行えばよい。もし、長い秘密鍵が必要な場合は、伝搬路特性が一定とみなせる時間内に作成可能な長さに秘密鍵を部分に分割し、部分毎に生成すればよい。
【００４０】
さらに、この例では、暗号通信が行われる前に、通信端末装置で作成された秘密鍵が同一であるか否かの確認が行われる。
図１４は、作成された秘密鍵が同一であるか否かの確認を行う手順を説明するためのタイムシーケンス図である。
通信端末装置１と通信端末装置２との間では、秘話通信が行われる前に、通信端末装置１から通信端末装置２に対して通信開始要求信号１〜８が送信されて、この通信開始要求信号１〜８を受信した通信端末装置２から通信端末装置１に対して応答信号１〜８が返信されている。
【００４１】
通信端末装置１と通信端末装置２との間の８回の信号のやり取りによりそれぞれ秘密鍵の１／８毎のコードが既に述べた方法により作成され、８回の信号交換の後必要となる同一の秘密鍵が通信端末装置１と通信端末装置２の両方で作成される。
このとき、先に述べたように通信端末装置１と通信端末装置２とで作成するコードを一致させるために、通信開始要求信号と、その信号に対する応答信号との時間間隔を短かくすることが望ましい。また、第三者による秘密鍵の傍受を難しくするために、通信開始要求信号の時間間隔を十分開けることで伝送路特性が変わるようにすることが望ましい。特に、通信端末装置が車両２０のような移動通信端末の場合には、自らが移動することによって伝搬路特性が大きく変化することが期待できるので、秘密鍵の安全性を高めることができる。
【００４２】
秘密鍵作成後に通信端末装置１は、例えばそのＩＤ情報を自ら作成した秘密鍵で暗号化して送信し、通信端末装置２は自ら作成した秘密鍵を用いて復号処理を行い、ＩＤが正常に受信されたことによって、両者の作成した秘密鍵が一致していることを確認することができる。通信端末装置２は秘密鍵の一致確認結果を通信端末装置１に通信し、一致した場合には暗号通信を開始、一致しなかった場合には改めて秘密鍵の作成を行う。
【００４３】
−変形例（有線通信）―
今までは、本発明の秘話通信方法が無線通信に適用された例を説明してきたが、この秘話通信方法を有線通信にも適用することができる。
図１５は、有線通信における実施例を示すブロック図である。
通信端末装置６１が通信端末装置６２に向けて有線で通信を行う場合において、線路の長さや線路内に備えられているノードの数に応じて、伝送路の物理的特性が決まっており、通信端末装置６２はこの物理的特性に応じた信号が受信される。この物理的特性は、他の通信端末装置と有線通信を行う場合と異なり、特有の性質を有している。また、伝送路の物理的特性の対称性から、通信端末装置６２が通信端末装置６１に向けて送信を行った場合、通信端末装置６１は同じ物理的特性に応じた信号を受信する。
【００４４】
このため、この物理的特性に応じて秘密鍵を作成することにより、通信端末装置６１および通信端末装置６２に同一の秘密鍵が作成される。これにより、秘密鍵の送受信を行うことなく秘話通信を行うことができる。
しかしながら、通信端末装置６１と通信端末装置６２との間の秘話通信において、物理的特性に変化が現れないので、作成される秘密鍵は常に同じである。このため、他の加入者装置などは、この物理的特性に基づいた秘密鍵を作成しやすい。
【００４５】
このような問題を解決するために、通信端末装置６１と通信端末装置６２との間には、線路６４〜６６と切替スイッチ６７とが備えられている（図１５（ａ）参照）。
切替スイッチ６７は、線路６４と線路６５とを接続することにより、通信端末装置６１と通信端末装置６２とを接続するか、線路６４と線路６６とを接続することにより、同じ通信端末装置６１と通信端末装置６２とを接続する。
【００４６】
線路６４と線路６５とが接続されると、線路６４，６５の長さ、およびこれらの線路内に備えられているノードの反射によって、通信端末装置６１および通信端末装置６２には、図１５（ｂ）に示すような物理的特性が現れる。また、線路６４と線路６６とが接続されると、線路６４，６６の長さ、およびこれらの線路内に備えられているノードの反射によって、通信端末装置６１および通信端末装置６２には、図１５（ｃ）に示すような物理的特性が現れる。
【００４７】
切替スイッチ６７は、線路６４と線路６５の接続と、線路６４と線路６６の接続とを、不定期的にまたは定期的に切り替えるので、通信端末装置６１と通信端末装置６２との間の物理的特性に変化が生じる。このため、他の端末装置は物理的特性に基づいた秘密鍵を作成し難くなるので、秘密鍵が漏洩する可能性を低減することができる。
なお、物理的特性を変化させる方法としては、必ずしもこれに限定されるものではなく、たとえば通信端末装置間に存在するノードに接続されたタップをスイッチによって接続、断線する構成であっても、同様の目的を達成することができる。
【００４８】
図１６は、有線通信における他の実施例を説明するためのブロック図である。
このシステムには、プロバイダ７０、各加入者装置７１ａ〜７１ｄ、およびノード７２ａ，７２ｂが含まれている。
プロバイダ７０は、インターネットから送られてくるパケットを、加入者装置７１に送り出す機能を持っている。プロバイダ７０から送信されるパケットは、ノード７２ａ、７２ｂで分岐されて、送信先アドレスの合致する加入者装置７１に届けられる。
【００４９】
プロバイダ７０と各加入者装置７１ａ〜７１ｄとの間の伝送路の物理的特性は、線路長の違いやノードの数の違いから、それぞれ異なっており、特有の性質を有している。このため、各加入者装置７１ａ〜７１ｄ間の伝送路の物理的特性もそれぞれ異なる。したがって、秘話通信を行いたい加入者装置同士も、物理的特性に応じた秘密鍵をそれぞれ作成して、この秘密鍵に基づいて秘話通信を行うことができる。
【００５０】
この発明は、以上説明した実施形態に限定されるものではなく、請求項記載の範囲内において種々の変更が可能である。
【図面の簡単な説明】
【００５１】
【図１】本発明に係る秘話通信方法が適用されるシステムの構成を示すブロック図に伝搬特性の一例を付したものである。
【図２】図１と同じ構成のブロック図に他の伝搬特性の例を付したものである。
【図３】図１と同じ構成のブロック図にさらに他の伝搬特性の例を付したものである。
【図４】インパルス信号の受信強度に基づいて秘密鍵を作成する態様を説明するための波形図である。
【図５】通信端末装置の構成の一例を示すブロック図である。
【図６】等化器係数の一例を示すブロック図である。
【図７Ａ】図６の等化器係数で作成されるフィルタタップ係数に基づいて秘密鍵を作成する態様を説明するための波形図である。
【図７Ｂ】秘密鍵のコード化の方法の一例を示す位相空間図である。
【図７Ｃ】タップ係数の位相を３ビットのコードに変換する方法の例を示す位相空間図である。
【図７Ｄ】タップ係数の位相および振幅を４ビットのコードに変換する方法の例を示す位相空間図である。
【図７Ｅ】タップ係数の位相および振幅を３ビットのコードに変換する方法の例を示す位相空間図である。
【図８】通信端末装置の他の構成例を示すブロック図である。
【図９】マッチトフィルタに入力されるＰＮ信号の例を示す図である。
【図１０】図９のＰＮ信号から作成されるマッチトフィルタ出力図である。
【図１１】通信端末装置のさらに他の構成例を示すブロック図である。
【図１２】受信信号のサブキャリアごとの受信レベルに基づいて秘密鍵を作成する態様を説明するための波形図である。
【図１３】受信信号のサブキャリアごとの位相回転量に基づいて秘密鍵を作成する態様を説明するための図である。
【図１４】作成された秘密鍵が同一であるか否かの確認を説明するためのタイムシーケンス図である。
【図１５】有線通信における実施例を示すブロック図である。
【図１６】有線通信における他の実施例を説明するためのブロック図である。
【符号の説明】
【００５２】
１０，２０，６１，６２  通信端末装置
６４〜６６  線路
６７        切替スイッチ
【図１】
2005130127.tif 000003
【図２】
2005130127.tif 000004
【図３】
2005130127.tif 000005
【図４】
2005130127.tif 000006
【図５】
2005130127.tif 000007
【図６】
2005130127.tif 000008
【図７Ａ】
2005130127.tif 000009
【図７Ｂ】
2005130127.tif 000010
【図７Ｃ】
2005130127.tif 000011
【図７Ｄ】
2005130127.tif 000012
【図７Ｅ】
2005130127.tif 000013
【図８】
2005130127.tif 000014
【図９】
2005130127.tif 000015
【図１０】
2005130127.tif 000016
【図１１】
2005130127.tif 000017
【図１２】
2005130127.tif 000018
【図１３】
2005130127.tif 000019
【図１４】
2005130127.tif 000020
【図１５】
2005130127.tif 000021
【図１６】
2005130127.tif 000022